(57)【要約】【課題】ゴミ箱内に細断屑が落下して山なりに堆積する状態を均した状態にする均し装置を備えたシュレッダを提供すること。【解決手段】不要な紙葉を細断する細断機構２と、該細断機構２により細断されて落下する細断屑を受け容れるごみ箱４とを備え、下面の中程を固定側に回転可能に支持され、ごみ箱４を載置して細断屑が落下する側とその反対側とにシーソー運動可能であるトレイ１０と、トレイ１０にシーソー運動を与える駆動手段２０と、を含んでなる均し装置６を備えた。【選択図】図１
0003182639.tif 000002
【実用新案登録請求の範囲】
【請求項１】
不要な紙葉を細断する細断機構と、該細断機構により細断されて落下する細断屑を受け容れるごみ箱とを備えたシュレッダにおいて、
下面の中程を固定側に回転可能に支持され、前記ごみ箱を載置して細断屑が落下する側とその反対側とにシーソー運動可能であるトレイと、
前記トレイに前記シーソー運動を与える駆動手段と、
を含んでなる均し装置を備えたことを特徴とするシュレッダ。
【請求項２】
前記駆動手段は、モータと、該モータにより垂直面内に回転され前記トレイの細断屑が落下する側又はその反対側の下面を押し上げるカムと、前記カムとは反対側の前記トレイの細断屑が落下する側又はその反対側の下面を押し上げる方向に付勢する付勢手段と、を含んでなる、請求項１に記載のシュレッダ。
【請求項３】
前記トレイの下面の中程を回転可能に支持する支点は、前記トレイの重心位置から前記付勢手段の側に寄って設けられている、請求項２に記載のシュレッダ。
【考案の詳細な説明】
【技術分野】
【０００１】
本考案は、細断機構により不要な紙葉を切り刻むシュレッダに関し、特に、ゴミ箱内に細断屑が落下して山なりに堆積する状態を均した状態にする均し装置を備えたシュレッダに関する。
【背景技術】
【０００２】
シュレッダにおいて、細断機構により切り刻まれた細断屑はゴミ箱内の一定位置に向かって落下して山なりに堆積する。ここまま放置すると、細断屑はゴミ箱内に一杯に溜まらないうちにゴミ箱の一側より溢れ出てしまい、ゴミ箱から溢れ出た細断屑はゴミ箱をシュレッダ本体から取り出すときに床一面に散乱してしまう。
【０００３】
そこで、細断屑を均した状態にゴミ箱に受け容れる均し装置を備えたシュレッダが種々開示されている（文献１〜５）。例えば、特許文献１に開示されたシュレッダに備えられた均し装置は、平面視において長矩形の空間を有するゴミ箱内の上部に羽根を配置し、この羽根を回転させつつゴミ箱内の長辺方向に移動する。
【先行技術文献】
【特許文献】
【０００４】
【特許文献１】特開２００９−２５４９９４号公報
【特許文献２】実開昭６１−６４３４５号公報
【特許文献３】実開平２−１０４８３９号公報
【特許文献４】実公平６−４６５０７号公報
【特許文献５】特開平８−１０２７号公報
【考案の概要】
【考案が解決しようとする課題】
【０００５】
シュレッダにおいて、ゴミ箱内に可能な限り多量の細断屑を受け容れるには、均した状態に受け容れると共に、細断屑が密になるように受け容れる必要がある。特許文献１に開示された技術は、細断屑を密にして受け容れることができない。
【０００６】
また、シュレッダにおいて、細断屑が静電気を帯びるという問題がある。
【０００７】
本考案は、ゴミ箱内に細断屑を均した状態にかつ密になるように受け容れる均し装置を備えたシュレッダを提供することを目的とする。
【課題を解決するための手段】
【０００８】
上記課題を解決するために、本考案のシュレッダは、不要な紙葉を細断する細断機構と、該細断機構により細断されて落下する細断屑を受け容れるごみ箱とを備えたシュレッダにおいて、下面の中程を固定側に回転可能に支持され、前記ごみ箱を載置して細断屑が落下する側とその反対側とにシーソー運動可能であるトレイと、前記トレイに前記シーソー運動を与える駆動手段と、を含んでなる均し装置を備えたことを特徴とする。
【０００９】
本考案によれば、細断機構により細断されてごみ箱内に落下する細断屑が堆積する部分の傾斜面が、トレイが駆動手段によりシーソー運動を与えられることにより、急傾斜面となるときに崩れて低い方へ流動する。ごみ箱は、シーソー運動を与えられ細断屑の上層の高く堆積する部分の流動が繰り返されるので、細断屑を均した状態に受け容れる。また、ゴミ箱内に細断屑はシーソー運動を与えられることにより、隙間を詰めて密になり、静電気を減らすことができる。
【００１０】
上記考案において、前記駆動手段は、モータと、該モータにより垂直面内に回転され前記トレイの細断屑が落下する側又はその反対側の下面を押し上げるカムと、前記カムとは反対側の前記トレイの細断屑が落下する側又はその反対側の下面を押し上げる方向に付勢する付勢手段と、を含んでなる。本考案によれば、トレイにシーソー運動を与える駆動手段を、出力が小さいモータとコイルばねとを含んで簡素に構成することができ、モータの回転数と、カムの形状を適切に選択することにより、トレイに与えるシーソー運動のサイクルを適切な値に設定することが容易である。
【００１１】
上記考案において、前記トレイの下面の中程を回転可能に支持する支点は、前記トレイの重心位置から前記付勢手段の側に寄って設けられている。本考案によれば、コイルばねによるトレイの持ち上げ力と、カムによる持ち上げ力とを均衡させることができ、コイルばねの付勢力を小さく抑えると共に、モータの出力を小さく抑えて、シーソー運動を実現できる。
【考案の効果】
【００１２】
本考案によれば、ゴミ箱内に均した状態に受け容れると共に、細断屑が密になるように受け容れることができ、ゴミ箱内により多量の細断屑を受け容れることができるシュレッダを提供することができる。
【図面の簡単な説明】
【００１３】
【図１】本考案の実施形態に係るシュレッダの一動作時の要部縦断面図である。
【図２】図１のシュレッダの他の動作時の要部縦断面図である。
【図３】図１におけるIII−III矢視図である。
【図４】図２におけるIV−IV矢視図である。
【考案を実施するための形態】
【００１４】
以下、添付図面を参照して本考案の実施形態のシュレッダについて説明する。
図１に示すように、シュレッダ１００は、装置本体１内の上部に、モータ（図示しない）により駆動回転され不要な紙葉を細断する細断機構２を備え、装置本体１内の下部に、細断機構２により細断されてシュート３を通して落下する細断屑（紙チップ）を受け容れるごみ箱４を取り出し可能に備え、装置本体１の上面に、細断機構に対応する枚葉紙投入口５と、電源スイッチ（図示しない）とを備える。
【００１５】
特に、本実施形態のシュレッダ１００は、装置本体１内の底部に、ごみ箱４内に細断屑を均した状態にかつ密になるように受け容れる均し装置６を備えている。該均し装置６は、ごみ箱４を載置するトレイ１０と、トレイ１０にシーソー運動を与える駆動手段２０と、を含んでなる。トレイ１０は、ごみ箱４を載置し、また取り出すことが行い易いようにするために、前側（図１において右側）が浅く形成されている。
【００１６】
トレイ１０は、下面両側の中程より垂下する一対の軸孔付きブラケット１１を備え、該一対の軸孔付きブラケット１１を装置本体１内の底部に備えられたベースフレーム３０に横軸３１で回転可能に連結され、この連結部を回転支点としてシーソー運動する。このシーソー運動とは、細断屑がシュート３を通して落下する側（図１において右側；操作側；ごみ箱の取出側）と、その反対側（図１において左側）との間で交互に上下する円弧運動である。図１，図３は、トレイ１０のごみ箱４の反取出側（図１，図２において左側）が持ち上がった状態を示し、図２，図４は、トレイ１０のごみ箱４の反取出側が下がった状態を示す。
【００１７】
トレイ１０にシーソー運動を与える駆動手段２０は、モータ２１と、カム２２と、付勢手段としてのコイルばね（圧縮ばね）２３と、を含んでなる。
モータ２１は、装置本体１の内壁に固定されている。カム２２は、モータ２１の出力軸に関し１８０度異なる２位置にローラ２２ａを有しモータ２１の出力軸に固定され、トレイ１０の細断屑が落下する側の下面の幅方向中央に設けられた受圧板１２の下側に位置されてモータ２１により垂直面内に回転される。カム２２は、モータ２１の出力軸が１８０度回転する毎にローラ２２ａで受圧板１２を押し上げる。コイルばね２３は、回転支点に関しカム２２とは反対側のトレイ１０の下面を押し上げる方向に付勢する。
上記構成により、カム２２とコイルばね２３とでトレイ１０にシーソー運動を与える。モータ２１が２０r.p.mで回転してシーソー回数が４０回とすることが好ましい。
【００１８】
トレイ１０の下面の中程を回転可能に支持する支点は、トレイ１０の重心位置からコイルばね２３の側に寄って設けられる。具体的には、図１において、図中寸法Ｌ１とＬ２との比を４：６とするのが良い。
【００１９】
このように、トレイ１０の重心位置を外したアンバランス位置を支点にすることにより、コイルばね２３によるトレイ１０の持ち上げ力と、カム２２による持ち上げ力とを均衡させることができ、コイルばね２３の付勢力を小さく抑えると共に、モータ２１の出力を小さく抑えて、シーソー運動を実現できる。
【００２０】
またこのように、トレイ１０の重心位置を外したアンバランス位置を支点にすることにより、トレイ１０にシーソー運動を与える駆動手段２０を、出力が小さいモータ２１とコイルばね２３とを含んで簡素に構成することができ、モータ２１の回転数と、カム２２の形状を適切に選択することにより、トレイ１０に与えるシーソー運動のサイクルを適切な値に設定することが容易である。
【００２１】
上記実施形態によれば、トレイ１０が駆動手段２０によりシーソー運動を与えられることにより、図１に示すように、ごみ箱４内に受け容れられた細断屑の山なりの堆積する部分が、図２に示すように、トレイ１０のシーソー運動によりごみ箱４が傾く度に、急傾斜面となって停止して動慣性が働き崩れて低い方へ流動する。
【００２２】
こうして、ごみ箱４は、シーソー運動を与えられることにより、細断屑の上層の高く堆積する部分より低い方への流動が繰り返されるので、細断屑を均した状態に受け容れる。また、ごみ箱４内に細断屑はシーソー運動により揺さぶられ、振動を与えられることにより、隙間を詰めて次第に密になる。なお、細断機構による細断で生じた静電気について測定したところ、従来よりも減らすことができた。これは、細断屑に振動を与えて密に溜められることにより、通電性が良くなり、アースへ逃げたことが考えられる。
【００２３】
＜その他の実施形態＞
本考案は、上記の実施形態に限定されるものでなく、実用新案登録請求の範囲の記載に基づいて把握される技術的範囲には、本考案の要旨を逸脱しない範囲内で種々、設計変更した形態が含まれる。
【００２４】
上記の実施形態では、カム２２を、トレイ１０の細断屑が落下する側の下面を押し上げるように設けられると共に、付勢手段としてのコイルばね２３を、トレイ１０の，カム２２とは反対側の下面を押し上げるように設けられる構成であるが、カム２２とコイルばね２３の位置を逆に配置した構成とする形態も本考案の技術的範囲に含まれる。
【符号の説明】
【００２５】
２…細断機構
４…ごみ箱
６…均し装置
１０…トレイ
２０…駆動手段
２１…モータ
２２…カム
２３…コイルばね（付勢手段）
【図１】
0003182639.tif 000003
【図２】
0003182639.tif 000004
【図３】
0003182639.tif 000005
【図４】
0003182639.tif 000006